(57)【要約】      （修正有）【課題】一般家庭、病院、介護施設等において、仰臥した要介護者の洗髪時に使用し、浄水の飛散防止と排水を行うシート状の用具で、要介護者を極力動かさずにシートの挿入および取り外しが容易にできる介護洗髪シートを提供する。【解決手段】矩形シート１と、矩形シート１の長さ方向の一端近傍の矩形シート１に設けられた円形開孔部２と、矩形シート１の幅方向の両外周辺に設けられた洗髪水の零れ落ち防止手段４とで構成することにより、要介護者がベッドに上向きに寝た状態で洗髪する。シート外周の二辺又は三辺に設けられシートに比べ厚さを有する洗髪水の零れ落ち防止手段４により、洗髪したときの洗髪水がシートから零れ落ちるのを防止することが出来る。【選択図】図１
0003189718.tif 000002
【実用新案登録請求の範囲】
【請求項１】
矩形シートと、前記矩形シートの長さ方向の一端近傍の前記矩形シートに設けられた  円形開孔部と、前記矩形シートの幅方向の両外周辺に設けられた洗髪水の零れ落ち防止  手段とからなる洗髪シート。
【請求項２】
矩形シートは、前記開孔部近傍側の長さ方向の外周辺に洗髪水の零れ落ち防止手段を  設けたことを特徴とする請求項１記載の洗髪シート。
【請求項３】
洗髪水の零れ落ち防止手段は、矩形シートの外周辺を折り曲げた構成としたことを特  徴とする請求項１または２記載の洗髪シート。
【請求項４】
洗髪水の零れ落ち防止手段は、矩形シートの幅方向の両外周辺を折り曲げた折り曲げ  部先端近傍と前記矩形シート面とを、前記幅方向の両外周辺の全長若しくは一部分を溶  着したことを特徴とする請求項１〜３のいずれかに記載の洗髪シート。
【請求項５】
矩形シートの長さ方向の両外周辺の内、前記矩形シート面に設けられた円形開口部に  対し遠方側の外周辺近傍に前記矩形シートを前記矩形シート以外のものに貼り付け可能  な貼り付け手段を設けたことを特徴とする請求項１〜４のいずれかに記載の洗髪シー    ト。
【請求項６】
円形開孔部の大きさの調整手段を設けたことを特徴とする請求項１〜５のいずれかに  記載の洗髪シート。
【請求項７】
調整手段は、円形開孔部の縁に放射線状にスリットを設けたことを特徴とする請求項  ６記載の洗髪シート。
【考案の詳細な説明】
【技術分野】
【０００１】
本考案は一般家庭、病院、介護施設等において、仰臥した要介護者の洗髪時に使用し、
浄水の飛散防止と排水を行うシート状の用具で、要介護者を極力動かさずにシートの挿入および取り外しが容易にできる介護洗髪シートに関するものである。
【背景技術】
【０００２】
従来の洗髪用具としては、常時は折り畳みコンパクト状態の板を、使用時に広げて平板状にした後、排水口が取りつけられたプラスチックフィルムカバーを板に被せたものを、要介護者の頭部の下に横方向または前部より挿入し、周囲の板を任意の角度に立ち上げバット状にする事によりバット内で介護者が温水シャワー等により洗髪を行うタイプのものがあった。
【先行技術文献】
【特許文献】
【０００３】
【特許文献１】実用新案登録第３１６１５６３号公報
【考案の概要】
【考案が解決しようとする課題】
【０００４】
従来の洗髪用具は、常時は折り畳みコンパクト状態の板を、使用時に広げて平板状にした後、要介護者の頭部の下に横方向または前部より挿入し、周囲の板を任意の角度に立ち上げバット状にして使用するため、バットの組み立てや使用後に元の形に戻すという取り扱いや洗浄などが負担となっている、このため狭隘な場所や多くの介護者を擁する施設、病院での使用には片付けや収納、洗浄に不便な点があった。
【課題を解決するための手段】
【０００５】
本考案は、従来の課題を解決したもので、矩形シートと、矩形シートの長さ方向の一近
傍の矩形シートに設けられた円形開孔部と、矩形シートの幅方向の両外周辺に設けられた洗髪水の零れ落ち防止手段とで構成されたものである。
【０００６】
また本考案の矩形シートは、開孔部近傍側の長さ方向の外周辺に洗髪水の零れ落ち防止手段を設けたものである。
【０００７】
そして本考案の洗髪水の零れ落ち防止手段は、矩形シートの外周辺を折り曲げた構成と
したものである。
【０００８】
更に本考案の洗髪水の零れ落ち防止手段は、矩形シートの幅方向の両外周辺を折り曲げた折り曲げ部先端近傍と矩形シート面とを、幅方向の両外周辺の全長若しくは一部分を溶着したものである。
【０００９】
また本考案は、矩形シートの長さ方向の両外周辺の内、矩形シート面に設けられた円形開口部に対し遠方側の外周辺近傍に矩形シートを矩形シート以外のものに貼り付け可能な貼り付け手段を設けたものである。
【００１０】
そして本考案は、円形開孔部の大きさの調整手段を設けたものである。
【００１１】
更に本考案の調整手段は、円形開孔部の縁に放射線状にスリットを設けたものである。
【考案の効果】
【００１２】
本考案は、要介護者がベッドに上向きに寝た状態で、矩形シートの長さ方向の一端近
傍の矩形シートに設けられた円形開孔部を要介護者の頭部に挿着した状態で洗髪することが可能であり、矩形シートの幅方向の両外周辺に設けられた洗髪水の零れ落ち防止手段により、洗髪したときの洗髪水が矩形シートから零れ落ちるのを防止することが出来るものである。本考案は誰でも簡単な説明で使う事ができ、後片付けも簡単にでき、且つ使い捨てとして使用することも可能である。また安価に提供することができる。そして常時は折り畳むことでコンパクトであり取り扱いも容易である。よって本考案は要介護者と介護者の体力と精神的な負担軽減になる。
【００１３】
また本考案の矩形シートは、開孔部近傍側の長さ方向の外周辺に洗髪水の零れ落ち防止手段を設けたことにより、洗髪水が要介護者の頭の方向から顔面に零れ落ちるのを防止することができ、要介護者に不快感を与えることがない。また介護者に於いても、洗髪水が要介護者の顔を濡らす心配がなく神経を洗髪に集中することが可能である。
【００１４】
そして本考案の洗髪水の零れ落ち防止手段は、矩形シートの外周辺を折り曲げて構成し
たものであり、折り曲げることにより、矩形シートの厚さよりも更に厚い零れ落ち防止手段を構成することが出来るものであり、洗髪水の零れ落ちを効果的に防止することが出来るものである。
【００１５】
更に本考案の洗髪水の零れ落ち防止手段は、矩形シートの幅方向の両外周辺を折り曲げ
た折り曲げ部先端近傍と矩形シート面とを、幅方向の両外周辺の全長若しくは一部分を溶着したことにより、矩形シートの厚さよりも更に厚い折り曲げ部を確実に重ね合わせることができ、洗髪水の零れ落ち防止効果を得ることができるものである。またベッドに上向きで寝た状態の要介護者を洗髪する際に、シートがベッドの角部に当接する部分以外の一部分を溶着することにより、シートがベッドに沿った形状となるため、介護者にとって作業性が向上する。
【００１６】
また本考案は、矩形シートの長さ方向の両外周辺の内、矩形シート面に設けられた円形開口部に対し遠方側の外周辺近傍に矩形シートを矩形シート以外のものに貼り付け可能な貼り付け手段を設けたことにより、洗髪水を受けるために置かれたバケツの内面に貼り付け手段を張り付けることにより、洗髪水はバケツの中に貯留されるため、床面を濡らすことがなく作業性が良い。
【００１７】
そして本考案は、円形開孔部の大きさの調整手段を設けたことにより、要介護者の頭部のサイズに影響されることなく使用することが可能である。
【００１８】
更に本考案の調整手段は、円形開孔部の縁に放射線状にスリットを設けることにより、
容易にスリットを加工し構成することができ、量産性に優れるものである。
【図面の簡単な説明】
【００１９】
【図１】本考案の第一の実施例における洗髪シートの斜視図。
【図２】本考案の第二に実施例における洗髪シートの斜視図。
【図３】本考案の第三の実施例における散髪シートの斜視図。
【図４】本考案の第四の実施例における散髪シートの斜視図。
【図５】本考案の使用状態を示す側面図。
【図６】本考案の使用状態を示す平面図。
【考案を実施するための形態】
【００２０】
以下本考案の洗髪用具の形態を図面に基づき詳細に説明する。図１に於いて、１は矩形のシートであり発砲スチロール等の材質が用いられる。シート１の長さ方向の一端近傍には頭部挿入用の円形開孔部２が設けられている。円形開孔部２へは洗髪時に額部、耳の後ろ部、首の後ろ部が円形開口部２に沿って挿入される。形状としては、円形や楕円形の形状で開孔される。シート１の幅方向の両外周辺３には洗髪水の零れ落ち防止手段である零れ落ち防止壁４が構成されている。この零れ落ち防止壁４は、シート１を二重に折り曲げて構成されている。この折り曲げ先端近傍部５は熱溶着等によりシールされている。
シート１の長さ方向の一端近傍に設けられた開口部２に対し、他端近傍のシート１の裏面にはシート１を洗浄廃水を受けるバケツ等の内側に貼り付ける貼り付け手段６が設けられている。貼り付け手段６としては両面テープがあり、両面テープの一方の面はシート１の裏面に貼り付け、両面テープの他方の面は洗浄廃水を受けるバケツ等の内側に沿わせて貼り付けることが可能である。両面テープを複数枚設けることにより、シート１が洗浄廃水を受けるバケツ等の内部に沿わせることが可能である。その結果、洗浄廃水をバケツ等の内部に受けることが出来る。
【００２１】
シート１の材質としては、発砲スチロールの他に塩化ビニールシート、ゴム等を用いても良い。開口部２は伸縮性に優れた材料を使用した場合、円形や楕円形に開孔しても良い。
【００２２】
次に本考案の第二の実施例について図２を用いて説明する。図２に於いて、シート７の外周８の三辺には零れ落ち防止手段９が構成されている。この零れ落ち防止手段９は、シート７の三辺の外周辺８の折り曲げ先端近傍部１０を熱溶着で溶着して加工されている。図２に於いて、開口部１１の図中上側にも零れ落ち防止手段９が設けられていることにより、使用時に頭頂部側から顔へ洗浄水が零れ落ちることがない。また開口部１１の縁には放射線状にスリット１２が構成されている。このスリット１２を設けることにより、頭部のサイズに対応することができる。他の構成は図１と同様であり説明は省略する。
【００２３】
次に本考案の第三の実施例について図３を用いて説明する。図３に於いて、シート１３の二辺の外周辺１４は二重に折り重ねられ、洗髪した後の洗浄廃水が零れ落ちるのを防止する零れ落ち防止手段１５が構成されている。零れ落ち防止手段１５は、シート１３の二辺の外周１４の折り曲げ先端近傍部１６を熱溶着して加工されている。図３に於いてシート１３の厚みは、図１、図２のシート１、７に比べ厚い材料を選定している。厚い材料を選定することにより、零れ落ち防止手段１５を硬く構成出来るため、洗浄廃水の零れ落ち防止効果は良くなる。シート１３の二辺の外周１４を折り曲げて一体にする方法としては、熱溶着の他に超音波溶着等であっても良い。他の構成は図１、図２と同様であり説明は省略する。
【００２４】
次に本考案の第四の実施例について図４を用いて説明する。図４に於いて、シート１７の外周辺１８は二重に折り重ねられ、零れ落ち防止手段１９が構成されている。零れ落ち防止手段１９はシート１７の二辺の外周辺１８を折り曲げて、折り曲げ先端近傍部２０を熱溶着して加工されている。
尚、本実施例においては、零れ落ち防止手段１９の一部に熱溶着していない非熱溶着部２１を設けてある。これにより、洗髪時にシート１７がベッドの角部で折れ曲がりやすくすることができるものである。また開口部２２の縁にはミシン目状のスリット２３が二重に構成されている。これは、頭部のサイズに対応することができるものである。
【００２５】
次に本考案の洗髪用具の使用方法について図５を用いて説明する。図５は図２に示した洗髪用具の使用状態を示したものである。ベッド２４に仰臥した要介護者２５の頭部２６にシート７の開口部１１（図示せず）を挿着する。この時、開口部１１は額部２７、耳の後ろ部２８、首後ろ部２９に密着するように頭部２６に挿着されている。シート７は洗浄廃水を受けるバケツ３０の内側に沿わせて両面テープ（図示せず）で貼り付けられている。このように洗髪用具が挿着された状態で頭部を洗髪する。洗髪後の洗浄廃水は、シート７の表面を流れてバケツ３０に溜まる。この時、洗浄廃水は、零れ落ち防止手段９によりシート７の外側へ零れることはない。
【００２６】
洗髪が終われば、シート７の開口部１１（図示せず）を頭部２７から外し洗髪が終了する。本考案に於いては、シート７の開口部１１（図示せず）の頭部２７への取り付、取り外し作業は、要介護者２５が仰臥した状態で可能である。また洗髪用具とバケツ３０は簡単に持ち運びすることが出来るため、介護する介護者の作業が大きく軽減される。
【００２７】
次に本考案の洗髪用具の使用方法について図６を用いて説明する。図６は図５を平面から見た図である。洗髪後の洗浄廃水は、シート７の表面を流れてバケツ３０に溜まる。この時、洗浄廃水は、零れ落ち防止手段９によりシート７の外側へ零れることはない。また本考案に於いては、要介護者２５はベッド２４の上に仰臥しておれば良く、また零れ落ち防止手段９は耳の後ろ部２８にあるため（図に於いては耳が見えている）洗髪後の洗浄廃水は要介護者２５の耳に入ることがない等、要介護者２５は安心して洗髪を受けることができ、精神的な負担が大きく軽減される。
【００２８】
また本考案の洗髪用具は使い捨てが可能であるため、感染防止の介護用品としても有効である。
【産業上の利用可能性】
【００２９】
本考案の洗髪用具は、要介護者のみならず、通常の人が緊急避難時等に衣服を着た状態で開口部を首まで挿着した状態で洗髪することにより、衣服を濡らすことなく洗髪が可能であり、緊急用洗髪用具としても利用することが可能である。
【符号の説明】
【００３０】
１  矩形シート（シート）
２  開口部（円形開口部）
３  外周辺
４  零れ落ち防止手段（零れ落ち防止壁）
５  おりまげ部先端近傍部
６  貼付け手段（両面テープ）
７  矩形シート（シート）
８  外周辺
９  零れ落ち防止手段
１０  折り曲げ先端近傍部
１１  開口部（円形開口部）
１２  調整手段（スリット）
１３  矩形シート（シート）
１４  外周辺
１５  零れ落ち防止手段
１６  折り曲げ先端近傍部
１７  シート
１８  外周辺
１９  零れ落ち防止手段
２０  折り曲げ先端近傍部
２１  非熱溶着部
２２  開口部
２３  スリット
【図１】
0003189718.tif 000003
【図２】
0003189718.tif 000004
【図３】
0003189718.tif 000005
【図４】
0003189718.tif 000006
【図５】
0003189718.tif 000007
【図６】
0003189718.tif 000008